(57)【要約】硬質シガレット小包体はカップ状容器（１２）によって画定されたケース（１）を有し、カップ状容器（１２）は横方向に開くヒンジ蓋（１１）によって閉じられる。蓋（１１）はケース（１）の頂壁（４）の少なくとも一部を含む。ケース（１）は、ケース（１）の頂壁（４）を形成するために重ね合わせられた二つのパネル（４’，４”）を有するブランク材（４４）から形成されると共に、ケース（１）の頂壁（４）に隣接する壁（２０；６７；７４）によって頂端が閉じられた筒状カラー（１８）を収容し、筒状カラーは蓋（１８）に位置する取り外し可能なパネル（２７；７１；８０）を含む。
2004534551.tif 000002
【特許請求の範囲】
【請求項１】
四つの側壁（７，８，９）と頂壁（４）とを有するケース（１）を具備し、該ケース（１）が、頂部開口（１７；６３；７３）を備えたカップ状容器（１２）と、該カップ状容器（１２）から頂部開口（１７；６３；７３）を介して部分的に突出するカラー（１８）と、横方向ヒンジ（１３）に沿いカップ状容器（１２）にヒンジ留めされてヒンジ（１３）回りに頂部開口（１７；６３；７３）を閉鎖する閉鎖位置へかつ閉鎖位置から移動可能な蓋（１１）であって、頂壁（４）の少なくとも一部を含んでいる蓋（１１）とを具備する、横方向開放式ヒンジ蓋付きの硬質小包体（Ａ；Ｂ；Ｃ）において、ケース（１）がブランク材（４４）から形成され、該ブランク材（４４）が、互いに重ね合わされて頂壁（４）を形成する互いにほぼ同一の二つの第１のパネル（４’，４”）と、側壁（７，８，９）を形成すると共に、形状および寸法に関し互いにほぼ同一である多数の第２のパネル（７’，８’，９’，７”，８”）とを有し、該ブランク材（４４）が、前記第２のパネル（７’，８’，９’，７”，８”）のうち概ね整列された三つのパネルを有することを特徴とする小包体。
【請求項２】
前記カラー（１８）が、前記カップ状容器（１２）と同軸の筒状カラー（１８）であり、該筒状カラーが、前記頂壁（４）に隣接する頂部閉鎖壁（２０；６７；７４）と、前記蓋（１１）に対面するシガレット（２）用通路（２９；７１ａ；８１）と、を有する請求項１に記載の小包体。
【請求項３】
前記通路（２９；７１ａ；８１）が、取り外し可能なパネル（２７；７１；８０）によって閉鎖される請求項２に記載の小包体。
【請求項４】
前記ブランク材（４４）が、互いに整列された多数の主パネル（３’，４’，４”，５１，５２）を具備し、これら主パネルのうち三つのパネル（３’，４’，４”）が、互いにほぼ同一であり、かつ前記二つの第１のパネル（４’，４”）と、前記ケース（１）の底壁（３）を画定する別の主パネル（３’）とからなる請求項１から３のいずれか一項に記載の小包体。
【請求項５】
前記二つの第１のパネル（４’，４”）が前記ブランク材（４４）の両端にそれぞれ位置し、前記別の主パネル（３’）が前記ブランク材（４４）の中間パネル（３’）である請求項４に記載の小包体。
【請求項６】
前記ケース（１）および筒状カラー（１８）が、面取りされた長手方向縁部（６，１０）を有する請求項２から５のいずれか一項に記載の小包体。
【請求項７】
前記ケース（１）および筒状カラー（１８）が、湾曲した長手方向縁部（６０，６１）を有する請求項２から５のいずれか一項に記載の小包体。
【請求項８】
前記ケース（１）および筒状カラー（１８）が、鋭い長手方向縁部（８）を有する請求項２から５のいずれか一項に記載の小包体。
【請求項９】
前記通路（２９；７１ａ；８１）が、前記カラー（１８）の頂部閉鎖壁（２０；６７；７４）の一側部分（２０ｂ）上に拡がる請求項２から８のいずれか一項に記載の小包体。
【請求項１０】
前記通路（７１ａ）が、前記蓋(１１)に隣接する前記頂部閉鎖壁（６７）の一側部分上に拡がる請求項９に記載の小包体。
【請求項１１】
前記頂部閉鎖壁（２０）が固定部分（２０ａ）を具備し、前記通路（２９）が、前記蓋(１１)に関し該固定部分（２０ａ）と反対側に位置している頂部閉鎖壁（２０）の一側部分(２０ｂ)上に拡がる請求項９に記載の小包体。
【請求項１２】
前記取り外し可能なパネル（２７；７１；８０）が側方プルタブ（２８）を具備する請求項３および１１に記載の小包体。
【請求項１３】
前記通路（８１）が前記頂部閉鎖壁（７４）の中央部分（７４ｂ）上に拡がる請求項９に記載の小包体。
【請求項１４】
内側箔状被包体（３０）をさらに具備し、該内側箔状被包体が、前記通路（２９；７１ａ；８１）に位置する別の取り外し可能なパネル（３１）を具備する請求項２から１３のいずれか一項に記載の小包体。
【請求項１５】
前記カラー（１８）の内部でかつカラー（１８）と前記内側包装体（３０）との間に部分的に収容された引き出し装置（４０）をさらに具備し、該引き出し装置（４０）の一部が、カラー（１８）から前記通路（２９；７１ａ；８１）を介し突出するプルタブ（３９）によって画定される請求項１４に記載の小包体。
【請求項１６】
前記蓋（１１）と前記カラー（１８）との間に介在されて蓋（１１）の前記ヒンジ（１３）回りの角度方向移動を制限するトグル帯（３２）をさらに具備する請求項１から１５のいずれか一項に記載の小包体。
【請求項１７】
前記トグル帯（３２）が前記カラー（１８）の一体部分を形成している請求項１６に記載の小包体。
【請求項１８】
前記トグル帯（３２）が前記ブランク材（４４）の一体部分を形成している請求項１６に記載の小包体。
【請求項１９】
二つの側方案内板（８８）をさらに具備し、各案内板が、前記蓋（１１）の側方内表面と一体になっている第１の部分（８８ａ）と、前記ケース（１）と前記カラー（１８）との間に摺動自在に係合された第２の部分（８８ｂ）とを具備する請求項２から１８のいずれか一項に記載の小包体。
【請求項２０】
頂壁（４）を有するケース（１）を具備し、頂部開口（１７；６３；７３）を備えたカップ状容器（１２）と、該カップ状容器（１２）から頂部開口（１７；６３；７３）を介して部分的に突出するカラー（１８）と、横方向ヒンジ（１３）に沿いカップ状容器（１２）にヒンジ留めされて前記ヒンジ（１３）回りに頂部開口（１７）を閉鎖する閉鎖位置へかつ閉鎖位置から移動可能な蓋（１１）であって、頂壁（４）の少なくとも一部を含んでいる蓋（１１）とを具備する、横方向開放式ヒンジ蓋付きの硬質小包体（Ａ；Ｂ；Ｃ）において、カラー（１８）が、カップ状容器（１２）と同軸の筒状カラー（１８）であり、該筒状カラーが、頂壁（４）に隣接する頂部閉鎖壁（２０；６７；７４）と、蓋（１１）に対面するシガレット（２）用通路（２９；７１ａ；８１）と、を有することを特徴とする小包体。
【請求項２１】
前記通路（２９；７１ａ；８１）が、取り外し可能なパネル（２７；７１；８０）によって閉鎖される請求項２０に記載の小包体。
【請求項２２】
前記ケース（１）がブランク材（４４）から形成され、該ブランク材（４４）が、互いに重ね合わされて前記頂壁（４）を形成する互いにほぼ同一の二つのパネル（４’，４”）を有する請求項２０または２１に記載の小包体。
【請求項２３】
前記ブランク材（４４）が、互いに整列された多数の主パネル（３’，４’，４”，５１，５２）を具備し、これら主パネルのうち三つのパネル（３’，４’，４”）が、互いにほぼ同一であると共に、前記二つのパネル（４’，４”）と、前記ケース（１）の底壁（３）を画定する別の主パネル（３’）とからなる請求項２２に記載の小包体。
【請求項２４】
前記二つのパネル（４’，４”）が前記ブランク材（４４）の両端にそれぞれ位置し、前記別の主パネル（３’）が前記ブランク材（４４）の中間パネル（３’）である請求項２３に記載の小包体。
【請求項２５】
前記ケース（１）および筒状カラー（１８）が、面取りされた長手方向縁部（６，１０）を有する請求項２０から２４のいずれか一項に記載の小包体。
【請求項２６】
前記ケースおよび筒状カラーが、湾曲した長手方向縁部（６０，６１）を有する請求項２０から２４のいずれか一項に記載の小包体。
【請求項２７】
前記ケースおよび筒状カラーが、鋭い長手方向縁部（７２）を有する請求項２０から２４のいずれか一項に記載の小包体。
【請求項２８】
前記通路（２９；７１ａ；８１）が、前記カラー（１８）の頂部閉鎖壁（２０；６７；７４）の一側部分（２０ｂ）上に拡がる請求項２０から２７のいずれか一項に記載の小包体。
【請求項２９】
前記通路（７１ａ）が、前記蓋(１１)に隣接する前記頂部閉鎖壁（６７）の一側部分上に拡がる請求項２８に記載の小包体。
【請求項３０】
前記頂部閉鎖壁（２０）が固定部分（２０ａ）を具備し、前記通路（２９）が、前記蓋(１１)に関し該固定部分（２０ａ）と反対側に位置している頂部閉鎖壁（２０）の一側部分(２０ｂ)上に拡がる請求項２８に記載の小包体。
【請求項３１】
前記取り外し可能なパネル（２７；７１；８０）が側方プルタブ（２８）を具備する請求項２１および３０に記載の小包体。
【請求項３２】
前記通路（８１）が前記頂部閉鎖壁（７４）の中央部分（７４ｂ）上に拡がる請求項２８に記載の小包体。
【請求項３３】
内側箔状被包体（３０）をさらに具備し、該内側箔状被包体が、前記通路（２９；７１ａ；８１）に位置する別の取り外し可能なパネル（３１）を具備する請求項２０から３２のいずれか一項に記載の小包体。
【請求項３４】
前記カラー（１８）の内部でかつカラー（１８）と前記内側包装体（３０）との間に部分的に収容された引き出し装置（４０）をさらに具備し、該引き出し装置（４０）の一部が、カラー（１８）から前記通路（２９；７１ａ；８１）を介し突出するプルタブ（３９）によって画定される請求項３３に記載の小包体。
【請求項３５】
前記蓋（１１）と前記カラー（１８）との間に介在されて蓋（１１）の前記ヒンジ（１３）回りの角度方向移動を制限するトグル帯（３２）をさらに具備する請求項２０から３４のいずれか一項に記載の小包体。
【請求項３６】
前記トグル帯（３２）が前記カラー（１８）の一体部分を形成している請求項３５に記載の小包体。
【請求項３７】
前記トグル帯（３２）が前記ブランク材（４４）の一体部分を形成している請求項３５に記載の小包体。
【請求項３８】
二つの側方案内板（８８）をさらに具備し、各案内板が、前記蓋（１１）の側方内表面と一体になっている第１の部分（８８ａ）と、前記ケース（１）と前記カラー（１８）との間に摺動自在に係合された第２の部分（８８ｂ）とを具備する請求項２０から３７のいずれか一項に記載の小包体。
【請求項３９】
前記筒状カラーが、少なくとも二つのパネルを互いに重ね合わせることにより形成された少なくとも一つの長手方向側壁を具備する請求項２０から３８のいずれか一項に記載の小包体。
【請求項４０】
前記トグル帯（３２）が、多数の折り目線（５９）を有する長手方向付属片（５８）を具備する請求項３５から３７のいずれか一項に記載の小包体。
【発明の詳細な説明】
【技術分野】
【０００１】
本発明は、横方向開放式ヒンジ蓋付きの硬質小包体に関する。
さらに詳細には、本発明は、頂壁を有するケースを具備し、このケースが、頂部開口を有するカップ状容器と、このカップ状容器から頂部開口を介して部分的に突出するカラーと、横方向ヒンジに沿いカップ状容器にヒンジ留めされてヒンジ回りに頂部開口を閉鎖する閉鎖位置へかつ閉鎖位置から移動可能な蓋であって、頂壁の少なくとも一部を含んでいる蓋と、を具備する形式の、横方向開放式ヒンジ蓋付き硬質小包体に関する。
本発明は、シガレット小包体の分野でのタバコ産業において効果的に用いることができ、以下の説明は単なる例を用いながらシガレット小包体に言及している。
【背景技術】
【０００２】
上述の形式の小包体は、たとえば国際特許出願公開第０１／１５９９号パンフレットに開示されている。特に、国際特許出願公開第０１／１５９９号パンフレットは、ケースを具備し、このケースが、二つの小側壁と、これら二つの小側壁よりも幅の広い二つの大側壁と、頂壁とを有している、横方向開放式ヒンジ蓋付きの硬質シガレット小包体を開示する。このケースは、頂部開口を有するカップ状容器と、このカップ状容器から頂部開口を介して部分的に突出するカラーと、頂壁の少なくとも一部を含んでいる蓋であって、横方向ヒンジに沿いカップ状容器にヒンジ留めされてヒンジ回りに頂部開口を閉鎖する閉鎖位置へかつ閉鎖位置から移動可能な蓋と、を具備する。横方向ヒンジは、頂壁上に位置して大側壁に直交する。
【０００３】
上述の形式の、公知の横方向開放式ヒンジ蓋付き硬質小包体では、蓋をカップ状容器に接続するヒンジは、通常きわめて短い。これは、横方向開放式小包体では避けられないことであって、小包体の形状安定性を著しく損ない、このため使用中に変形して蓋がカップ状容器を適切に閉鎖することができなくなるおそれがある。
【発明の開示】
【０００４】
本発明の目的は、上記欠点を解消するように構成された、横方向開放式ヒンジ蓋付き硬質シガレット小包体を提供することにある。
【０００５】
本発明によれば、四つの側壁と頂壁とを有するケースを具備し、該ケースが、頂部開口を備えたカップ状容器と、該カップ状容器から頂部開口を介して部分的に突出するカラーと、横方向ヒンジに沿いカップ状容器にヒンジ留めされてヒンジ回りに頂部開口を閉鎖する閉鎖位置へかつ閉鎖位置から移動可能な蓋であって、頂壁の少なくとも一部を含んでいる蓋とを具備する、横方向開放式ヒンジ蓋付きの硬質小包体において、ケースがブランク材から形成され、該ブランク材が、互いに重ね合わされて頂壁を形成する互いにほぼ同一の二つの第１のパネルと、側壁を形成すると共に、形状および寸法に関し互いにほぼ同一である多数の第２のパネルとを有し、該ブランク材が、前記第２のパネルのうち概ね整列された三つのパネルを有することを特徴とする小包体が提供される。
前記カラーは好ましくはカップ状容器と同軸の管状カラーであり、この管状カラーは好ましくは、頂壁に隣接する頂部閉鎖壁と、シガレットのための、蓋に対面する通路とを有する。
上述のように定義された小包体において、前記通路は好ましくは取り外し可能なパネルによって閉鎖される。
【発明を実施するための最良の形態】
【０００６】
本発明を限定することのない本発明の複数の実施例を、例を挙げ添付図面を参照しながら、説明する。
図１から図３を参照すると、符号Ａは、多数のシガレットないし紙巻きタバコ２のための、ヒンジ留めされた蓋すなわちヒンジ蓋を備えた硬質小包体全体を示している。
【０００７】
小包体Ａは底壁３および頂壁４によって画定される角柱状外側ケース１を具備し、これら底壁３および頂壁４は、互いに同一でかつ平行であり、ケース１の長手軸線５に直交し、各角部に４５°の面取り部ないしベベル６を有する概ね正方形である。ケース１は、互いに平行な一対の側壁７，８と、鏡像的に互いに同一でかつ平行な別の一対の側壁９であって側壁７，８に直交する側壁９と、長手方向に延びる四つの帯１０であってそれぞれが頂壁４および底壁３の対応する面取り部６間を延びると共に、対応する側壁９を側壁７または８にそれぞれ接続する長手方向帯１０と、によって横方向に画定される。
底壁３および頂壁４が概ね正方形形状をなすことによって小包体の形状安定性が改善されるということを指摘することは、重要なことである。
【０００８】
横方向に開放される蓋すなわち横方向開放式蓋１１がケース１上に形成される。この蓋１１は、その頂部において頂壁４全体により画定され、側壁７の中間部分を横切りかつ長手軸線５に交差して延びるヒンジ１３によって（カップ状容器１２によって画定される）ケース１の残りの部分にヒンジ留めされ、ミシン目線１４に沿ってケース１の残りの部分から分離される（小包体Ａはユーザーにより、このミシン目線に沿い破られて開けられる）。このミシン目線１４は、頂壁４と、側壁８および側壁８に隣接する二つの長手方向帯１０との接合部に沿って延びる第１の部分と、二つの斜めスリット１５により画定される第２の部分であって、各スリット１５が、側壁９を横切るよう形成されると共に、頂壁４および側壁８に隣接する側壁９の角部からヒンジ１３の高さにある中間点まで、側壁７に隣接する側壁９の縁部に沿いつつ側壁９の全幅に亘って延びている第２の部分と、二つのスリット１６により画定される第３の部分であって、各スリット１６が、側壁７に隣接する対応する長手方向帯１０を横切り形成されて対応するスリット１５の底端をヒンジ１３の対応する端部に接続する第３の部分と、を有する。
【０００９】
ミシン目線１４はカップ状容器１２の頂部開口１７の縁部を画定し、この縁部から外向きにカップ状カラー１８の頂端が突出している。カップ状カラー１８は、その凹部が底壁３に対面し、自由環状縁部１９が底壁３の内表面に実質的に接触し、端壁２０が頂壁４のちょうど内側にあるように、カップ状容器１２の内部に配置されている。端壁２０も、４５°の面取り角部を有する概ね正方形をなし、四つの側壁２２によって画定された管状体２１を閉鎖する。この管状体２１は端壁２０の面取り部において長手方向帯２３により互いに接続される。
管状体２１および端壁２０によって小包体の形状安定性が改善され、蓋１１がカップ状容器１２をさらに良好に閉鎖できるようになるということを指摘するのは、重要なことである。
【００１０】
図２に示されるように、開口１７に対面するカップ状カラー１８の端部を横切るようにミシン目線２４が形成される。このミシン目線２４は、二つのＵ字状スリット２５により画定される二つの部分を有し、各スリット２５は、側壁２２の頂端と同様に、対応する側壁９の内表面に接触している側壁２２のうち突出している部分においてその凹部が上向きになるよう配置される。また、ミシン目線２４は端壁２０を横切るよう形成される直線状スリット２６を具備し、このスリット２６は、二つのスリット２５の側壁７に最も近い二つの終点を互いに結合すると共に、端壁２０を二つの部分２０ａ，２０ｂに分割する。このうち部分２０ａは直線状スリット２６と側壁７間に拡がっている。
【００１１】
図２に示されるように、ミシン目線２４は、小包体Ａをタブ２８を使用して開けるときにユーザーが取り外しできるパネル２７を画定し、このタブ２８は部分２０ｂの外表面上に折り畳まれると共に側壁８の内表面に接触して延びる部分２０ｂの縁部と一体になっている。パネル２７は、取り外されると、カップ状カラー１８を横切って内側箔状被包体３０を露出させる通路ないし開口２９を画定する。内側箔状被包体３０も取り外し可能なパネル３１を有している。
【００１２】
図３にさらに明確に示されるように、側壁７に対面する端壁２０の縁部は、カップ状容器１２に対する蓋１１のヒンジ１３回りの移動を予め決められた角度内に制限しかつ抑制するためのトグル帯３２によって、頂壁４の内表面の中央部分に接続される。
図３にさらに明確に示されるように、底壁３と同一形状のパネル３３が底壁３の内表面上に係止しており、このパネル３３はヒンジ３４によって二分されている。ヒンジ３４はパネル３３上に、側壁７に隣接し、底壁３と一体であり、側壁７と一体の付属片３６を有する第１の部分３５と、側壁８に隣接し、側壁８の内表面に実質的に接触する縁部において帯３８の底端に一体的に接続される第２の部分３７とを画定し、この帯３８は、管状体２１に沿い延びると共に、開口２９において内側被包体３０の頂端面上に直角に折り畳まれたプルタブ３９で終端する。これらパネル３３、タブ３９および帯３８は、シガレット２を開口２９を介し引き出すための引き出し装置４０を構成する。
【００１３】
他の実施例および図示されていない実施例によれば、環状端部１９は底壁３に接触せず、すなわち側壁２２は側壁９よりも短い。この場合、カップ状カラー１８を決められた位置に保持するために、各側壁２２が対応する側壁９の内表面に接着される。
【００１４】
上記のような小包体Ａは、四つのブランク材４１〜４４を折り曲げかつ互いに組み合わせることにより形成される。ブランク材４１（図４）は平坦な箔状シート材によって構成され、このシート材はその頂縁に、取り外し可能なパネル３１の輪郭をなぞって形成されるミシン目線４５を有する。ブランク材４２（図５）は引き出し装置４０を形成するためのものである。
【００１５】
ブランク材４３（図６）は、カップ状カラー１８を形成するためのものであり、面取り角部を有する概ね正方形の中間パネル２０’によって互いに接続された二つの概ね長方形のパネル４６，４７を具備する。中間パネル２０’は、端壁２０に対応していると共に、中間パネル２０’の長手方向側部に長手方向折り目線４８に沿って接続されたタブ２８を備える。中間パネル２０’の互いに対向する横断方向両側部には、それぞれ対応する横断方向折り目線４９に沿ってパネル４６，４７が接続され、これらパネル４６，４７は、多数の長方形パネルをパネル４６，４７上に画定する長手方向折り目線５０を有する。これら長方形パネルは、カップ状カラー１８の対応する壁と同一の番号にプライム（’）が付されて示されている。ブランク材４３の二つのパネルを互いに重ね合わせて接着することによりカラー１８の壁が形成された場合、これら二つのパネルは、関連する壁と同一の番号に、外側パネルに対してはシングルプライム（’）が、内側パネルに対してはダブルプライム（”）が、それぞれ付されて示されている。
【００１６】
パネル４６は、三つのパネル２２’であってその中間のパネル２２’が対応する折り目線４９に沿い端壁２０に接続されている三つのパネル２２’と、四つのパネル２３’であってそのうちの二つがパネル２２’間に位置する内側パネル２３’であり二つがパネル２２’の外側に位置する外側パネル２３’である四つのパネル２３’と、によって構成される。パネル４７は、対応する折り目線４９に沿って端壁２０に接続されたパネル２２’と、外側パネル２３’に重ね合わされて側壁８に隣接するカップ状カラー１８の二つの長手方向帯２３を形成する二つのパネル２３”と、によって構成される。直線状スリット２６は中間パネル２０’に沿って延び、二つのスリット２５は一方がパネル４６の中間パネル２２’上に形成され、他方がパネル４７のパネル２２’上に形成される。
【００１７】
図６ａに示される別の実施例によれば、ブランク材４３を、実質的に同一のブランク材４３’と交換することができる。ブランク材４３’の構成要素は、可能な限り、ブランク材４３の対応する部品の符号と同一の符号を使用して示されている。
ブランク材４３’は、パネル４６が二つの外側パネル２３’を具備していない点、パネル４７がパネル４６と鏡像的にほぼ同一である点、すなわちパネル４７’が一つの中間パネル２２’と、パネル４６のパネル２２’とほぼ同一の二つの外側パネル２２’とを具備している点で、ブランク材４３と異なっている。
カラー１８を得るために、パネル４６の二つのパネル２２’がそれぞれ対応するパネル２２”の外表面に接着される。
【００１８】
図６ｂに示される別の実施例によれば、パネル４７は外側パネル２２”を一つだけ具備し、この外側パネル２２”は、カラー１８を得るために、パネル４６の対応するパネル２２’の内表面に接着される。この場合、パネル４６は二つの外側パネル２３’のうちの一方を具備し、この外側パネル２３‘’上にパネル４７の外側パネル２３”が重ね合わされて長手方向帯２３が形成される。
【００１９】
ブランク材４４（図７）はケース１を形成するためのものであり、鏡像的に互いに同一で概ね長方形の二つのパネル５１，５２であって、互いに整列されると共に底壁３に対応する中間パネル３’によって互いに接続されるパネル５１，５２と、互いに重ね合わされ接着されて頂壁４を形成するもう二つのパネル４’，４”と、を具備する。パネル４’の横断方向側部は横断方向折り目線５３に沿って、パネル５１の中間パネル３’に接続された端部と反対側の端部に接続され、パネル４”の横断方向側部は横断方向折り目線５４に沿って、パネル５２の中間パネル３’に接続された端部と反対側の端部に接続される。パネル５１，５２は、それぞれ対応する横断方向折り目線５５に沿って、中間パネル３’の互いに対向する横断方向両側部に接続されると共に、パネル５１，５２上に多数の長方形パネルを画定する長手方向折り目線５６を有し、これら長方形パネルは、ケース１の対応する壁と同一の番号にプライム（’）が付されて示されている。この場合もまた、ブランク材４４の二つのパネルを互いに重ね合わせて接着することによりケース１の壁が形成された場合、これら二つのパネルは、関連する壁と同一の番号に、外側パネルに対してはシングルプライム（’）が、内側パネルに対してはダブルプライム（”）が、それぞれ付されて示されている。
【００２０】
パネル５１は、互いに並列する三つのパネル、すなわち中間パネル９’と、それぞれ対応するパネル１０’によって中間パネル９’に接続される二つの外側パネル７’，８’と、によって構成される。パネル７’，８’，９’は、形状および寸法に関して互いにほぼ同一である。中間パネル９’は、長手方向両端において、横断方向折り目線５５に沿ってパネル３’に接続され、折り目線５３に沿ってパネル４’に接続される。斜めスリット１５は、パネル８’に対面する折り目線５３の端部から中間パネル９’を横切るよう形成され、ヒンジ１３の一部はパネル７’を横切るよう形成される。スリット１６はパネル７’とパネル９’間のパネル１０’を横切るよう形成される。
【００２１】
パネル５２は、互いに並列する三つのパネル、すなわち中間パネル９’と、パネル１０’によって中間パネル９’にそれぞれ接続される二つの外側パネル７”，８”と、によって構成される。パネル７”，８”，９’は、形状および寸法に関して互いにほぼ同一である。パネル５２の中間パネル９’は、長手方向両端において、横断方向折り目線５５に沿ってパネル３’に接続され、折り目線５４に沿ってパネル４”に接続される。斜めスリット１５は、パネル８”に対面する折り目線５４の端部から中間パネル９’を横切るよう形成され、ヒンジ１３の一部はパネル７”を横切るよう形成される。スリット１６はパネル７”とパネル９’間のパネル１０’を横切るよう形成される。
【００２２】
二つの長手方向タブ５７が、パネル５１から延び、中間パネル３’の両側に位置し、パネル７’およびパネル８’から長手方向にそれぞれ突出し、直角に折り曲げられて中間パネル３’の内表面に接着される。同じように、パネル７’および８’が、パネル７”およびパネル８”の外表面上にそれぞれ接着されてケース１の側壁７，８を画定し、上述したようにパネル４’，４”が直角に折り曲げられ、パネル４’がパネル４”の外表面に接着されてケース１の頂壁４を画定する。
【００２３】
また、パネル５１は長手方向付属片５８を具備し、この付属片５８は、多数の横断方向折り目線５９を有し、長手方向タブ５７を支持する端部と反対側のパネル７’の端部から延び、パネル４’の内方に直角に折り曲げられ、小包体Ａのケース１の側壁７に接触するパネル２２’の端部に自由端が接着されてトグル帯３２を構成する。
図２、図３および図７に示される実施例によれば、付属片５８は三つの折り目線５９を有する。しかし、折り目線５９は三つより多くても少なくてもよく、例えば二つでもよいことが理解されるべきである。
【００２４】
蓋１１の開閉中に、折り目線５９によって画定される付属片５８のパネルのスナップ動作が蓋１１自体の動きと異なっているということが指摘されるべきである。
図示しない変形例において、付属片５８は、ブランク材４４のパネル７’から長手方向に突出するのではなく、ブランク材４３の中間パネル２０’の一側に配置され、ブランク材４３のパネル４６の、図６において左側のパネル２２’から軸線方向に突出する。
【００２５】
図８から図１１は、小包体Ａに実質的に類似する小包体Ｂを示しており、その構成部品は可能な限り、小包体Ａの対応する部品に対する符号と同一の符号を使用して示される。
小包体Ｂは主に、断面が概ね長方形をなし、平坦な面取り部６ではなく湾曲された角部６０と、平坦な長手方向帯１０，２３ではなく湾曲された長手方向帯６１，６２とを有している点で、小包体Ａと異なっている。
【００２６】
また、小包体Ｂは、開口１７と寸法が同じだが頂壁４の一側部４ａ上のみに拡がる開口６３を有する点で、小包体Ａと異なっている。すなわち、小包体Ｂの蓋１１は、小包体Ａにおけるように頂壁４全体を含むのではなく、頂壁４の一部４ａのみを含み、頂壁４の残りは固定部分４ｂによって構成される。その結果、ミシン目線１４は、関連する側壁９を横切る斜めスリット１５と、関連する湾曲帯６１を横切るスリット１６とに加えて、頂壁４の中間部を横切って斜めスリット１５の頂端同士を接続するスリット６４を具備する。
【００２７】
図１１に示されるように、小包体Ｂのブランク材４４では、小包体Ａのブランク材４４のパネル１０’が、湾曲帯６１を形成するための長手方向折り目線６１’に置き換えられており、スリット６４は、端部パネル４’および４”に沿って形成された二つの予め切断された線またはスリット６４’，６４”によって得られる。小包体Ｂの横断面が小包体Ａよりも大きい場合には、小包体Ｂの壁３，４は好ましくはケース１の残りの部分にさらに強固に固定される。この目的のために、小包体Ｂのブランク材４４では、小包体Ａのブランク材４４のパネル５１の長手方向タブ５７が、二対のタブ６５，６６に置き換えられる。タブ６５は、パネル５２から中間パネル３’の両側を延びると共に、パネル７”およびパネル８”それぞれから長手方向に突出し、直角に折り曲げられて中間パネル３’の内表面に接着される。一方、タブ６６は、パネル５２から端パネル４”の両側を延びると共に、パネル７”およびパネル８”それぞれから長手方向に突出し、直角に折り曲げられて端パネル４”の内表面に接着される。
【００２８】
必要があれば、これと同じ変更を小包体Ａのブランク材４４に加えてもよいことは明らかであり、平坦な面取り部６を小包体Ｂのように、湾曲角部６０に類似する湾曲角部に置き換えてもよく、平坦な長手方向帯１０，２３を湾曲帯６１，６２に類似する湾曲帯に置き換えてもよい。
【００２９】
小包体Ｂのブランク材４３では、小包体Ａのブランク材４３のパネル２３’，２３”が、湾曲帯６２を形成するための長手方向に折り目をつけられたパネル６２’，６２”に置き換えられ、小包体Ａのブランク材４３の中間パネル２０’が、概ね長方形で角部が湾曲された中間パネル６７に置き換えられる。この中間パネル６７は、小包体Ｂの壁４と同一形状で同一寸法である。ミシン目線６８が中間パネル６７に沿って形成され、このミシン目線６８は、中央パネル２２’上に形成された二つのＵ字状スリット６９と、中間パネル６７に沿って形成された直線状スリット７０とを具備し、二つのＵ字状スリット６９間に位置するパネル６７の自由側縁と共に、取り外し可能なパネル７１をブランク材４３上に画定している。このパネル７１は、ブランク材４１の取り外し可能なパネル３１と共に取り外されると、蓋１１が開放された際にシガレット２へのアクセスを許容する通路ないし開口７１ａを画定する。
【００３０】
小包体Ｂでは、小包体Ａのブランク材４３の変形例（図示しない）におけるように、蓋１１が開くときの移動を制限するトグル帯３２（図示しない）を構成する付属片５８が、ブランク材４３のパネル４６の一部を形成している。小包体Ｂでも、付属片５８が、小包体Ａにおけるように、ブランク材４４の一部を形成してもよいことは明らかである。
【００３１】
図１２から図１７は、小包体Ｂに実質的に類似する小包体Ｃを示しており、その構成部品は可能な限り、小包体Ｂの対応する部品に対する符号と同一の符号を使用して示される。
小包体Ｃは、小包体Ｂのように断面が概ね長方形をなし、しかしながら鋭い長手方向縁部を備えており、このため小包体Ａにおけるような平坦な面取り部６または平坦な長手方向帯１０，２３を備えておらず、小包体Ｂにおけるような湾曲縁部６０または長手方向湾曲帯６１，６２を備えていないので、小包体Ｃのブランク材４４，４３はパネル６１を備えていない。
【００３２】
しかし、小包体Ａおよび小包体Ｂに関してこれまで説明してきたことを適用することにより、当業者が、鋭い縁部７２に換えて、面取りされまたは湾曲された縁部を有するように小包体Ｃを形成しうることは明らかであり、同じように、以下の説明に基づいて、小包体Ａ，Ｂを、小包体Ｃにおけるように鋭い縁部を特徴とするよう変更してもよい。
したがって、小包体Ｃの断面は、小包体Ｂに類似し、しかしカップ状容器１２が小包体Ａにおけるように頂壁４全体に亘って拡がる開口７３を有する点で、小包体Ｂと異なっている。
【００３３】
さらに詳細には、小包体Ｃの蓋１１は、頂端において頂壁４全体によって画定されると共に、ケース１の残りの部分からミシン目線１４によって分離される。ミシン目線１４の第１の部分は、頂壁４と側壁８との間の接合部に沿って延び、ミシン目線１４の第２の部分は、二つの直線状スリット１５によって構成される。各スリット１５は、頂壁４および側壁８に隣接する側壁９の角部と、側壁７に隣接する側壁９の縁部７２に沿う中間点との間を、対応する側壁９の幅全体に亘って４５°の角度で小包体Ｃ内を延びている。
【００３４】
カップ状容器１２の開口７３からカラー１８の頂端が外側に突出する。この場合も、カラー１８はカップ形状をなし、その凹部が底壁４に対面し端壁７４が頂壁４のちょうど内側にあるように、カップ状容器１２の内側に収容される。端壁７４も、鋭い角部を有する概ね長方形をなし、四つの側壁２２によって画定された筒状体２１を閉鎖する。これら四つの側壁２２は鋭い縁部７５によって互いに接続されている。
【００３５】
図１２に示されるように、ミシン目線７６は、開口７３に対面するカップ状カラー１８の端部を横切るよう形成されると共に、二つのＵ字状スリット７７によって構成される二つの部分を有する。各スリット７７は、側壁２２の頂端と同様に、対応する側壁９の内表面に接触している側壁２２のうち突出している部分においてその凹部が上向きになるよう配置される。また、ミシン目線７６は、端壁７４を横切るよう形成される二つの直線状スリット７８，７９を具備し、これらスリット７８，７９は、二つのスリット７７の対応する端部をそれぞれ接合すると共に、頂壁７４を三つの部分７４ａ，７４ｂ，７４ｃに分割する。三つの部分のうち部分７４ｂはスリット７８とスリット７９間に拡がっている。
【００３６】
図１３に示されるように、ミシン目線７６は、小包体Ａおよび小包体Ｂにおけるように、パネル８０を画定し、ユーザーがこのパネル８０を取り外し、カップ状カラー１８を横切って内側箔状被包体３０を露出させる通路ないし開口８１を画定するようにすることができる。内側箔状被包体３０も取り外し可能なパネル８２を有している。
図１３にさらに明瞭に示されるように、端壁７４の部分７４ａの端部は、トグル帯３２によって頂壁４の内表面の中央部分に接続される。
【００３７】
図１６に示されるように、小包体Ｃのブランク材４４では、鋭い縁部７２は直進折り目線８３によって画定され、パネル７”およびパネル８”はそれぞれ対応するタブ６５を有し、パネル７”のみがタブ６６を有する。
【００３８】
小包体Ｃのブランク材４３では、縁部７５は直進折り目線８４によって画定され、パネル４７は一つのパネル２２’によって画定され、パネル４６は互いに並列する三つのパネル２２’と二つの側方タブ８５とによって画定される。これらタブ８５は、直角に折り曲げられてパネル４７の単一のパネル２２’の下側に接着される。端壁７４がパネル４６とパネル４７間に挿入されて横断方向折り目線によりパネル４６，４７に接続されており、端壁７４に対面するほうの端部において、パネル４６の二つの側方パネルのうち一方が付属片５８を有し、他方が、直角に折り曲げられて端壁７４の部分７４ｃの下側に接着される長手方向タブ８６を有する。付属片５８が小包体Ａにおけるように、ブランク材４４の一部を形成してもよいことは明らかである。
【００３９】
図１２および図１３にさらに明瞭に示されるように、蓋１１がヒンジ１３回りに回動するときに蓋１１をより良好に案内するために、小包体Ｃは二つの案内板８８を有し、各案内板は図１７に示されるように、概ね長方形ないし四角形をなし、側壁９とほとんど同一形状であるが大きさが側壁９以下であり、外向きの凹部を有する湾曲縁部８９によって横方向に画定される。各案内板８８は、対応する側壁９の下側に挿入され、蓋１１の下側に位置する部分８８ａは、蓋１１の一部を形成する側壁９の一部に接着され、残りの部分８８ｂは側壁９とカラー１８間を摺動自在になっている。
【００４０】
図示しない別の実施例によれば、小包体Ａ，Ｂは、面取り部６および湾曲縁部８の換わりに鋭い縁部を具備する。さらに、国際特許出願公開第００／４３２８９号パンフレットに実質的に記載されているように、小包体Ａ，Ｂは一つまたは複数の側壁７，８，９を具備し、各側壁は、中央の平坦な部分と、凹部が内方を向くよう湾曲して対応する中央部分を対応する鋭い縁部に接続する二つの側方帯とを有する。
同じように、小包体Ｃが一つまたは複数の側壁７，８，９を具備し、各側壁が、中央の平坦な部分と、凹部が内方を向くよう湾曲して対応する中央部分を対応する鋭い縁部に接続する二つの側方帯とを有するようにすることもできる。
さらに別の実施例によれば、小包体Ａ，Ｂ，Ｃの形状は実質的に、国際特許出願公開第０２／３２７８６号パンフレットに記載されているような小包体の形状である。
【図面の簡単な説明】
【００４１】
【図１】閉鎖位置にあるところを示す本発明による小包体の第１の好ましい実施例の斜視図である。
【図２】開放位置にあるところを示す図１の小包体の分解斜視図である。
【図３】図２の小包体の部分断面側面図である。
【図４】図１の構成要素の平面図である。
【図５】図１の構成要素の平面図である。
【図６】図１の構成要素の平面図である。
【図６ａ】図６の構成要素の他の実施例を示す図である。
【図６ｂ】図６の構成要素の他の実施例を示す図である。
【図７】図１の構成要素の平面図である。
【図８】閉鎖位置にあるところを示す本発明による小包体の第２の好ましい実施例の斜視図である。
【図９】図８の小包体の構成要素の平面図である。
【図１０】図８の小包体の構成要素の平面図である。
【図１１】図８の小包体の構成要素の平面図である。
【図１２】閉鎖位置にあるところを示す本発明による小包体の第３の好ましい実施例の斜視図である。
【図１３】開放位置にあるところを示す図１２の小包体の部分分解斜視図である。
【図１４】図１２の小包体の構成要素の平面図である。
【図１５】図１２の小包体の構成要素の平面図である。
【図１６】図１２の小包体の構成要素の平面図である。
【図１７】図１２の小包体の構成要素の平面図である。
【国際公開パンフレット】
2004534551.tif 000003
2004534551.tif 000004
2004534551.tif 000005
2004534551.tif 000006
2004534551.tif 000007
2004534551.tif 000008
2004534551.tif 000009
2004534551.tif 000010
2004534551.tif 000011
2004534551.tif 000012
2004534551.tif 000013
2004534551.tif 000014
2004534551.tif 000015
2004534551.tif 000016
2004534551.tif 000017
2004534551.tif 000018
2004534551.tif 000019
2004534551.tif 000020
2004534551.tif 000021
2004534551.tif 000022
2004534551.tif 000023
2004534551.tif 000024
2004534551.tif 000025
2004534551.tif 000026
2004534551.tif 000027
2004534551.tif 000028
2004534551.tif 000029
2004534551.tif 000030
2004534551.tif 000031
2004534551.tif 000032
2004534551.tif 000033
2004534551.tif 000034
2004534551.tif 000035
2004534551.tif 000036
2004534551.tif 000037
2004534551.tif 000038
【手続補正書】
【提出日】平成15年9月19日(2003.9.19)
【手続補正１】
【補正対象書類名】特許請求の範囲
【補正対象項目名】請求項１
【補正方法】変更
【補正の内容】
【請求項１】
四つの側壁（７，８，９）と頂壁（４）とを有するケース（１）を具備し、該ケース（１）が、頂部開口（１７；６３；７３）を備えたカップ状容器（１２）と、該カップ状容器（１２）から頂部開口（１７；６３；７３）を介して部分的に突出するカラー（１８）と、横方向ヒンジ（１３）に沿いカップ状容器（１２）にヒンジ留めされてヒンジ（１３）回りに頂部開口（１７；６３；７３）を閉鎖する閉鎖位置へかつ閉鎖位置から移動可能な蓋（１１）であって、頂壁（４）の少なくとも一部を含んでいる蓋（１１）とを具備し、ケース（１）がブランク材（４４）から形成され、該ブランク材（４４）が、互いに重ね合わされて頂壁（４）を形成する互いにほぼ同一の二つの第１のパネル（４’，４”）と、側壁（７，８，９）を形成すると共に、形状および寸法に関し互いにほぼ同一である多数の第２のパネル（７’，８’，９’，７”，８”）とを有する、横方向開放式ヒンジ蓋付きの硬質小包体（Ａ；Ｂ；Ｃ）において、ブランク材（４４）が、前記第２のパネル（７’，８’，９’，７”，８”）のうち一列に並ぶよう配置された三つのパネルを有することを特徴とする小包体。
【手続補正２】
【補正対象書類名】特許請求の範囲
【補正対象項目名】請求項４
【補正方法】変更
【補正の内容】
【請求項４】
前記ブランク材（４４）が、一列に並ぶよう配置された多数の主パネル（３’，４’，４”，５１，５２）を具備し、これら主パネルのうち三つのパネル（３’，４’，４”）が、互いにほぼ同一であり、かつ前記二つの第１のパネル（４’，４”）と、前記ケース（１）の底壁（３）を画定する別の主パネル（３’）とからなる請求項１から３のいずれか一項に記載の小包体。
【手続補正３】
【補正対象書類名】特許請求の範囲
【補正対象項目名】請求項２３
【補正方法】変更
【補正の内容】
【請求項２３】
前記ブランク材（４４）が、一列に並ぶよう配置された多数の主パネル（３’，４’，４”，５１，５２）を具備し、これら主パネルのうち三つのパネル（３’，４’，４”）が、互いにほぼ同一であると共に、前記二つのパネル（４’，４”）と、前記ケース（１）の底壁（３）を画定する別の主パネル（３’）とからなる請求項２２に記載の小包体。
【手続補正４】
【補正対象書類名】明細書
【補正対象項目名】０００５
【補正方法】変更
【補正の内容】
【０００５】
本発明によれば請求項１に記載の横方向開放式ヒンジ蓋付きの硬質小包体が提供される。




【国際調査報告】
2004534551.tif 000039
2004534551.tif 000040